(57)【特許請求の範囲】
【請求項１】
照明光を内視鏡の先端部から出射する照明手段と、前記照明光が照射された被検体の被観察領域を撮像する撮像素子を有する撮像手段と、を備えた内視鏡装置であって、
前記照明手段が白色光を生成するための第１の光源と、前記第１の光源と発光波長が異なる第２の光源を有し、
前記第１の光源と前記第２の光源の各出射光量の比率を変更して前記照明光の色調を変更する色調制御手段を備え、
前記色調制御手段は、前記撮像素子の画像１フレーム分の光蓄積時間と同期し、光蓄積期間内にオンオフを繰り返すパルス波形に基づいて前記第１の光源と前記第２の光源とを交互に点灯させる内視鏡装置。
【請求項２】
請求項１に記載の内視鏡装置であって、
前記第１の光源と前記第２の光源は、半導体発光素子を発光源とする光源である内視鏡装置。
【請求項３】
請求項２に記載の内視鏡装置であって、
前記半導体発光素子は、発光ダイオードである内視鏡装置。
【請求項４】
請求項１〜３のいずれか１項に記載の内視鏡装置であって、
前記第１の光源からの出射光により励起発光する蛍光体を含み、前記第１の光源からの出射光と前記蛍光体からの励起光とにより白色光を生成する内視鏡装置。 
【発明の詳細な説明】
【技術分野】
【０００１】
本発明は、内視鏡装置に関する。
【背景技術】
【０００２】
通常、内視鏡装置の照明光には白色光源が用いられるが、近年、特定の狭帯域化された波長の光を照射して粘膜組織の状態の強調表示や、予め投与した蛍光物質からの自家蛍光を観察する等の特殊光観察が可能な光源が搭載された内視鏡装置が活用されている（特許文献１，２）。この種の内視鏡装置では、例えば粘膜層或いは粘膜下層に発生する新生血管の微細構造、病変部の強調等、通常の観察像では得られない生体情報を簡単に可視化できる。
【０００３】
また、内視鏡装置の照明光は、観察対象部位により病変部を見つけやすい光源色調が異なるため、診断に適した色調に合わせることが望まれる。例えば、大腸の診断においては、低倍率の観察時には大腸内の形態や色味を観察し、高倍率の観察時には表層の血管を観察することで、病変部の識別がより確実に行える。ところが、上記の内視鏡装置においては、通常観察時には照明光を白色光、特殊光観察時には特殊光に切り替えできるが、観察対象に応じて、又は拡大観察等の種々の診断場面に応じて、照明光の色調を任意に変更することができない。
【先行技術文献】
【特許文献】
【０００４】
【特許文献１】特許第３５８３７３１号公報
【特許文献２】特公平６−４０１７４号公報
【発明の概要】
【発明が解決しようとする課題】
【０００５】
本発明は、観察対象や診断場面に応じて照明光の色調を任意に変更可能な内視鏡装置を提供することを目的とする。
【課題を解決するための手段】
【０００６】
本発明は、下記構成からなる。
照明光を内視鏡の先端部から出射する照明手段と、前記照明光が照射された被検体の被観察領域を撮像する撮像素子を有する撮像手段と、を備えた内視鏡装置であって、
前記照明手段が白色光を生成するための第１の光源と、前記第１の光源と発光波長が異なる第２の光源を有し、
前記第１の光源と前記第２の光源の各出射光量の比率を変更して前記照明光の色調を変更する色調制御手段を備え、
前記色調制御手段は、前記撮像素子の画像１フレーム分の光蓄積時間と同期し、光蓄積期間内にオンオフを繰り返すパルス波形に基づいて前記第１の光源と前記第２の光源とを交互に点灯させる内視鏡装置。
【発明の効果】
【０００７】
本発明の内視鏡装置によれば、観察対象や診断場面に応じて照明光の色調を任意に変更することができる。
【図面の簡単な説明】
【０００８】
【図１】本発明の実施形態を説明するための図で、内視鏡装置のブロック構成図である。
【図２】図１に示す内視鏡装置の一例としての外観構成図である。
【図３】紫色レーザ光源からの紫色レーザ光と、青色レーザ光源からの青色レーザ光及び青色レーザ光が蛍光体により波長変換された後の発光スペクトルを示すグラフである。
【図４】対物レンズユニットの一構成例を示す構成図である。
【図５】対物レンズユニットの光学系のブロック構成図である。
【図６】観察倍率と光量比との関係を示すグラフである。
【図７】生体組織の粘膜表層の血管を模式的に表した説明図である。
【図８】内視鏡装置による観察画像の概略的な表示例を示す説明図である。
【図９】印加電流と発光量との関係を示すグラフである。
【図１０】印加電流のパルス電流重畳波形を示すグラフである。
【図１１】パルス変調制御による種々の駆動波形（ａ），（ｂ），（ｃ）を示す説明図である。
【図１２】光源の発光量が交互に最大とする制御例を示すグラフである。
【図１３】被観察領域と内視鏡先端部との距離と受光量との関係を示すグラフである。
【図１４】被観察領域の部位に応じて照明光の色調を変更する内視鏡装置の概略的なブロック構成図である。
【図１５】患者情報と検査情報を含む検査オーダ情報を示す説明図である。
【図１６】内視鏡の機種に応じて照明光の色調を変更する内視鏡装置の概略的なブロック構成図である。
【図１７】内視鏡の機種名を含む個体識別情報の登録テーブルの一例を示す説明図である。
【図１８】蛍光体の種類、固体差を含む固体識別情報の登録テーブルの一例を示す説明図である。
【図１９】光源装置から内視鏡までの光路を１本の光ファイバで構成した内視鏡装置の概略的な構成図である。
【図２０】図１９に示す光源装置と蛍光体による照明光の発光スペクトルを示すグラフである。
【図２１】多数のレーザ光源を用いた他の内視鏡装置の例を示す概略的な構成図である。
【図２２】白色光源とレーザ光源を用いた他の内視鏡装置の例を示す概略的な構成図である。
【図２３】内視鏡の先端部に発光ダイオードを設けた内視鏡装置の例を示す概略的な構成図である。
【発明を実施するための形態】
【０００９】
以下、本発明の実施形態について、図面を参照して詳細に説明する。
図１は本発明の実施形態を説明するための図で、内視鏡装置の概念的なブロック構成図、図２は図１に示す内視鏡装置の一例としての外観図である。
内視鏡装置１００は、内視鏡１１と、この内視鏡１１が接続される制御装置１３とを有する。制御装置１３には、画像情報等を表示する表示部１５と、入力操作を受け付ける入力部１７が接続されている。内視鏡１１は、内視鏡挿入部１９の先端から照明光を出射する照明光学系と、被観察領域を撮像する撮像素子２１を含む撮像光学系とを有する、電子内視鏡である。
【００１０】
図１，図２に示すように、内視鏡１１は、被検体内に挿入される内視鏡挿入部１９と、内視鏡挿入部１９の先端の湾曲操作や観察のための操作を行う操作部２３と、内視鏡１１を制御装置１３に着脱自在に接続するコネクタ部２５Ａ，２５Ｂを備える。なお、図示はしないが、内視鏡１１の内部には、組織採取用処置具等を挿入する鉗子チャンネルや、送気・送水用のチャンネル等、各種のチャンネルが設けられる。
【００１１】
内視鏡挿入部１９は、可撓性を持つ軟性部３１と、湾曲部３３と、先端部（以降、内視鏡先端部とも呼称する）３５から構成される。内視鏡先端部３５には、被観察領域へ光を照射する照射口３７Ａ，３７Ｂと、被観察領域の画像情報を取得するＣＣＤ(Charge Coupled Device）イメージセンサやＣＭＯＳ(Complementary Metal-Oxide Semiconductor）イメージセンサ等の撮像素子２１が配置されている。なお、撮像素子２１には焦点距離を制御するズーム機能と、被写体に焦点を合わせるオートフォーカス機能を有する対物レンズユニット３９が取り付けられている。
【００１２】
湾曲部３３は、軟性部３１と先端部３５との間に設けられ、操作部２３に配置されたアングルノブ２２の回動操作やアクチュエータの作動等により湾曲自在にされている。この湾曲部３３は、内視鏡１１が使用される被検体の部位等に応じて、任意の方向、任意の角度に湾曲でき、内視鏡先端部３５の照射口３７Ａ，３７Ｂ及び撮像素子２１の観察方向を、所望の観察部位に向けることができる。また、図示は省略するが、内視鏡挿入部１９の照射口３７Ａ，３７Ｂには、カバーガラスやレンズが配置される。
【００１３】
制御装置１３は、内視鏡先端部３５の照射口３７Ａ，３７Ｂに供給する照明光を発生する光源装置４１、撮像素子２１からの画像信号を画像処理するプロセッサ４３を備え、コネクタ部２５Ａ，２５Ｂを介して内視鏡１１と接続される。また、プロセッサ４３には、前述の表示部１５と入力部１７が接続されている。プロセッサ４３は、内視鏡１１の操作部２３や入力部１７からの指示に基づいて、内視鏡１１から伝送されてくる撮像信号を画像処理し、表示部１５へ表示用画像を生成して供給する。
【００１４】
光源装置４１は、中心波長４４５ｎｍの青色レーザ光源（第１の光源）４５と、中心波長４０５ｎｍの紫色レーザ光源（第２の光源）４７とを発光源として備えている。これらの各光源４５，４７の半導体発光素子からの発光は、光源制御部４９により個別に制御されており、青色レーザ光源４５の出射光と、紫色レーザ光源４７の出射光との光量比は変更自在になっている。つまり、光源制御部４９は照明光の色調制御手段として機能する。
【００１５】
青色レーザ光源４５及び紫色レーザ光源４７は、ブロードエリア型のＩｎＧａＮ系レーザダイオードが利用でき、また、ＩｎＧａＮＡｓ系レーザダイオードやＧａＮＡｓ系レーザダイオードを用いることもできる。また、上記光源として、発光ダイオード等の発光体を用いた構成としてもよい。
【００１６】
これら各光源４５，４７から出射されるレーザ光は、集光レンズ（図示略）によりそれぞれ光ファイバに入力され、合波器であるコンバイナ５１と、分波器であるカプラ５３を介してコネクタ部２５Ａに伝送される。なお、これに限らず、コンバイナ５１とカプラ５３を用いずに各光源４５，４７からのレーザ光を直接コネクタ部２５Ａに送出する構成であってもよい。
【００１７】
コネクタ部２５Ａに供給された中心波長４４５ｎｍの青色レーザ光、及び中心波長４０５ｎｍの紫色レーザ光が合波されたレーザ光は、光ファイバ５５Ａ，５５Ｂによって、それぞれ内視鏡１１の内視鏡先端部３５まで伝搬される。そして、青色レーザ光は、内視鏡先端部３５の光ファイバ５５Ａ，５５Ｂの光出射端に配置された波長変換部材である蛍光体５７を励起して蛍光を発光させる。また、一部の青色レーザ光は、そのまま蛍光体５７を透過する。紫色レーザ光は、蛍光体５７を励起させることなく透過して、狭帯域波長の照明光となる。
【００１８】
光ファイバ５５Ａ，５５Ｂは、マルチモードファイバであり、一例として、コア径１０５μｍ、クラッド径１２５μｍ、外皮となる保護層を含めた径がφ０．３〜０．５ｍｍの細径なケーブルを使用できる。
【００１９】
蛍光体５７は、青色レーザ光の一部を吸収して緑色〜黄色に励起発光する複数種の蛍光体（例えばＹＡＧ系蛍光体、或いはＢＡＭ（ＢａＭｇＡｌ１０Ｏ１７）等を含む蛍光体等）を含んで構成される。これにより、青色レーザ光を励起光とする緑色〜黄色の励起光と、蛍光体５７により吸収されず透過した青色レーザ光とが合わされて、白色（疑似白色）の照明光となる。本構成例のように、半導体発光素子を励起光源として用いれば、高い発光効率で高強度の白色光が得られ、更に、白色光の強度を容易に調整できる。しかも、白色光の色温度、色度の変化を小さく抑えることができる。
【００２０】
上記の蛍光体５７と光偏向・拡散部材５９は、レーザ光の可干渉性により生じるスペックルに起因して、撮像の障害となるノイズの重畳や、動画像表示を行う際のちらつきの発生等の現象を防ぐことができる。また、蛍光体５７は、蛍光体を構成する蛍光物質と、充填剤となる固定・固化用樹脂との屈折率差を考慮して、蛍光物質そのものと充填剤に対する粒径を、赤外域の光に対して吸収が小さく、かつ散乱が大きい材料で構成することが好ましい。これにより、赤色や赤外域の光に対して光強度を落とすことなく散乱効果が高められ、凹レンズ等の光路変更手段が不要となり、光学的損失が小さくなる。
【００２１】
図３は、紫色レーザ光源４７からの紫色レーザ光と、青色レーザ光源４５からの青色レーザ光及び青色レーザ光が蛍光体５７により波長変換された後の発光スペクトルを示すグラフである。紫色レーザ光は、中心波長４０５ｎｍの輝線（プロファイルＡ）で表される。また、青色レーザ光は、中心波長４４５ｎｍの輝線で表され、青色レーザ光による蛍光体５７からの励起発光光は、概ね４５０ｎｍ〜７００ｎｍの波長帯域で発光強度が増大する分光強度分布となる。この励起発光光と青色レーザ光によるプロファイルＢによって、前述した白色光が形成される。
【００２２】
ここで、本明細書でいう白色光とは、厳密に可視光の全ての波長成分を含むものに限らず、例えばＲ，Ｇ，Ｂ等、特定の波長帯の光を含むものであればよく、例えば、緑色から赤色にかけての波長成分を含む光や、青色から緑色にかけての波長成分を含む光等も広義に含むものとする。
【００２３】
この内視鏡装置１００では、プロファイルＡとプロファイルＢとの発光強度を光源制御部４９により相対的に増減制御して、任意の色調の照明光を生成するので、プロファイルＡ，Ｂの混合比率に応じて特性の異なる照明光を得ることができる。
【００２４】
再び図１に戻り説明する。上記のように青色レーザ光と蛍光体５７からの励起発光光、及び紫色レーザ光により形成される照明光は、内視鏡１１の先端部３５から被検体の被観察領域に向けて照射される。そして、照明光が照射された被観察領域の様子を対物レンズユニット３９により撮像素子２１上に結像させて撮像する。対物レンズユニット３９は、ズーム制御部６１によりズーム倍率を指定され、指定されたズーム倍率で合焦させる。
【００２５】
撮像後に撮像素子２１から出力される撮像画像の画像信号は、スコープケーブル６３を通じてＡ／Ｄ変換器６５に伝送されてデジタル信号に変換され、コネクタ部２５ｂを介してプロセッサ４３の制御部６７に入力される。制御部６７では、入力されたデジタル画像信号を画像データに変換して適宜な画像処理を行い、所望の出力用画像情報を生成する。そして、得られた画像情報は、内視鏡観察画像として表示部１５に表示され、必要に応じて、メモリやストレージ装置からなる記憶部６９に記憶される。
【００２６】
記憶部６９は、図示のようにプロセッサ４３に内蔵されてもよく、プロセッサ４３にネットワークを介して接続されていてもよい。なお、記憶部６９に記憶される内視鏡観察画像の情報には、撮像時の光量比の情報を併せて記録することが好ましい。これにより、記憶された内視鏡観察画像に対して内視鏡観察後に正確な読影が行え、また、光量比に応じて、画像を標準化する等の適宜な画像処理を施すこともでき、内視鏡観察画像の活用範囲を拡げることができる。
【００２７】
上記構成の内視鏡装置１００においては、内視鏡先端部３５から出射する照明光の色調を連続的に変更することができる。また、レーザ光源を用いることで、高い分解能で色調が制御でき、色調の経時変化が少なく、しかも高い応答性で光量制御できる。また、発光効率が高いために省電力化が図られる。内視鏡診断においては、照明光の色調を診断に適した色調に合わせると、病変部の発見や診断が容易になることがあり、内視鏡診断中に照明光を任意のタイミングで変更自在にすることは診断精度を向上させる上で重要である。以下に、照明光の色調を各種のパラメータに応じて変更する内視鏡装置の構成例について順次説明する。
【００２８】
＜被観察領域の観察倍率に応じて照明光の色調を変更する構成＞
まず、被観察領域と内視鏡先端部との距離に応じて色調を変更する構成例を説明する。被観察領域と内視鏡先端部３５（図１参照）との距離である観察距離は、拡大観察する場合には短く、広い視野で観察する場合は長くされ、従って、観察倍率が高いほど観察距離が短くなる。この観察倍率は、対物レンズユニット３９のズーム機構により内視鏡の術者が任意に設定する。ここで、対物レンズユニット３９の一構成例を図４に示した。
【００２９】
図４に示すように、対物レンズユニット３９の光学系は、撮像対象側から順に、固定レンズ７１Ａ、バリフォーカルレンズとして構成された変倍用の第１可動レンズ７１Ｂ及び第２可動レンズ７１Ｃ、固定レンズ７１Ｄ及びフォーカス調整用の第３可動レンズ７１Ｅが配置されており、この第３可動レンズ７１Ｅの後側に、プリズム７３、カバーガラス７５を介して撮像素子２１が配置される。この撮像素子２１で撮像された信号は、回路基板７７及び信号線７９を介してプロセッサ４３（図１参照）へ供給される。
【００３０】
上記の第１可動レンズ７１Ｂは、係合孔８１ａを有する保持枠８１に、第２可動レンズ７１Ｃは係合孔８３ａを有する保持枠８３に保持され、この係合孔８１ａ，８３ａが円柱状のカム軸８５の外周に嵌合する状態で、各レンズ７１Ｂ，７１Ｃはこのカム軸８５に取り付けられる。上記の係合孔８１ａにはカムピン８７が、係合孔８１ｂにはカムピン８９が突出配置され、カム軸８５には、その軸線に対して傾斜角度の異なるカム溝９１ａ，９１ｂが形成されており、このカム溝９１ａに上記カムピン８７が、カム溝９１ｂに上記カムピン８９が係合する。
【００３１】
そして、上記カム軸８５には、多重コイルバネ等からなる線状伝達部材９３の一端が連結されており、この線状伝達部材９３の他端は操作部２３（図１参照）に設けられた図示しないモータの回転軸に取り付けられる。従って、モータの駆動によって線状伝達部材９３を介してカム軸８５を回転させれば、カム溝９１ａ，９１ｂとカムピン８７，８９の係合によって第１可動レンズ７１Ｂ、第２可動レンズ７１Ｃが光軸方向の前後にそれぞれ異なる量だけ移動し、これによって光学的変倍（拡大）等が行われる。即ち、第１及び第２の可動レンズ７１Ｂ，７１Ｃは、バリフォーカル光学系を構成しており、相対的に前後移動しながら光学的変倍を行う（観察距離、観察深度、焦点距離等が可変となる）。上記構成が変倍駆動機構となる。
【００３２】
一方、上記フォーカス調整用の第３可動レンズ７１Ｅを駆動するために、圧電素子を利用した小形で高速のアクチュエータ９５が支持部９７に取り付けられており、このアクチュエータ９５の駆動軸９５ａの外周が、第３可動レンズ７１Ｅの保持枠９９の係合孔９９ａに移動可能に嵌合配置される。このアクチュエータ９５では、駆動軸９５ａに圧電素子が取り付けられており、この圧電素子で駆動軸９５ａを緩急を以って前後に動かすことにより、第３可動レンズ７１Ｅを前後方向へ移動させることができる。上記個性がフォーカス駆動機構となる。なお、このアクチュエータ９５としては、静電アクチュエータ等の他の小形リニアアクチュエータを用いてもよい。
【００３３】
上記の対物レンズユニット３９の光学系は、単純には図５に示すブロック構成図のようになる。つまり、ズーム制御部６１は、対物レンズユニット３９の変倍駆動機構１１１と、フォーカス駆動機構１１３を制御して、所望の倍率に設定すると共に、その倍率下で合焦させている。倍率の設定は、ズーム制御部６１に接続されるズーム操作部１１５の操作により行われる。ズーム操作部１１５は、操作部２３（図２参照）に配置された操作ボタン又はスライドスイッチであり、連続的に観察倍率が可変となるように構成される。
【００３４】
例えば、大腸の内視鏡診断においては、低倍率時には粘膜表面の形態や色味を観察し、高倍率時には表層の血管を観察することがあり、観察倍率に応じて照明光の好ましい色調が異なる。つまり、低倍率時には照明光が白色であることが好ましく、高倍率時には表層の血管情報を抽出する可視短波長成分を多く含む照明光であることが好ましい。
【００３５】
そのため、図６に観察倍率と光量比との関係を示すように、観察倍率に応じて照明光の色調を変更する。具体的には、青色レーザ光源４５と、紫色レーザ光源４７の出射光量比を光源制御部４９により制御して、ズーム制御部６１による観察倍率が高いほど、紫色レーザ光源４７の出射光量を増加させる。これにより、図３に示す短波長のプロファイルＡと、白色光となるプロファイルＢとの光量比が、観察倍率が高くなるほどプロファイルＡの光量が増加し、より短波長の光成分を多く含む照明光となる。この色調の変更は、内視鏡の術者等のズーム操作に連動してリアルタイムで行われるため、応答性の高い制御が可能となる。なお、図４に示す関係は、直線状に限らず、非線形な曲線状であってもよく、階段状に変化する関係であってもよい。
【００３６】
ここで、図５に生体組織の粘膜表層の血管を模式的に表した説明図を示した。生体組織の粘膜表層は、粘膜深層の血管Ｂ１から樹脂状血管網等の毛細血管Ｂ２が粘膜表層までの間に形成され、生体組織の病変はその毛細血管Ｂ２等の微細構造に現れることが報告されている。そこで、粘膜表層の毛細血管を画像強調して観察し、微小病変の早期発見や、病変範囲の診断が試みられている。
【００３７】
生体組織に照明光が入射されると、入射光は生体組織内を拡散的に伝播するが、生体組織の吸収・散乱特性は波長依存性を有しており、短波長ほど散乱特性が強くなる傾向がある。つまり、照明光の波長によって光の深達度が変化する。そのため、照明光が４００ｎｍ付近の波長域λａでは粘膜表層の毛細血管からの血管情報が得られ、波長５００ｎｍ付近の波長域λｂでは、更に深層の血管を含む血管情報が得られるようになる。そのため、生体組織表層の血管観察には、中心波長３６０〜８００ｎｍ、好ましくは３６５〜５１５ｎｍ、更に好ましくは中心波長４００ｎｍ〜４７０ｎｍの光源が用いられる。
【００３８】
図８に内視鏡装置による観察画像の概略的な表示例を示すように、照明光を白色光とした場合の観察画像では、比較的粘膜深層の血管像が得られる反面、粘膜表層の微細な毛細血管はぼやけて見える。一方、可視短波長成分を多く含む照明光とした場合の観察画像では、粘膜表層の微細な毛細血管が鮮明に見えるようになる。
【００３９】
つまり、観察倍率を高めて表層の血管を観察する場合は、照明光の色調が青みを強くするように制御し、観察倍率が低い場合は、照明光の青みを抑えて白色になるように制御すると、内視鏡の術者にとって診断に適した照明光となる。これにより、術者は観察倍率を調整する際に、青色レーザ光源４５、紫色レーザ光源４７の出射光量を併せて調整する等の煩わしい操作が不要となり、常に観察部位に最適な色調の照明光を自動的に得られるようになる。
【００４０】
また、この内視鏡装置１００によれば、照明光の色調の変更を光源４５，４７の駆動により行うため、カラーフィルタ等を用いて色調を変更する場合と比較して、光利用効率が増し、観察画像のノイズを低減できる。また、きめ細かな色調の調整が可能となる。
【００４１】
上記の各光源４５，４７の駆動は、次のようにして行える。
図１に示す光源制御部４９は、制御部６７からの指示に基づいて各光源４５，４７の出射光量を制御する。各光源４５，４７は、図９に示すような印加電流と発光量との関係Ｒ１を有しており、各光源４５，４７への印加電流を制御することで所望の発光量が得られる。例えば、発光量Ｌａを得るためには、印加電流をＩｂとして関係Ｒ１に基づく発光量Ｌｂを確保し、更に、微調整代としての発光量ＬｂとＬａとの差ΔＬを、印加電流に、パルス変調されたパルス電流を重畳することで得る。
【００４２】
その場合の印加電流は、例えば、図１０に印加電流のパルス電流重畳波形を示すように、発光量Ｌａを、印加電流Ｉｂをバイアスとするパルス電流により得る。パルス電流のパルス幅制御は、適宜なＰＷＭ回路により任意の波形が得られるため、発光量を正確に設定できる。このようなバイアス電流制御とパルス変調制御により、設定可能な発光量のダイナミックレンジを広く確保できる。
【００４３】
なお、この場合のパルス変調制御は、種々の駆動波形が利用できる。例えば、図１１（ａ）に示すような撮像素子の画像１フレーム分の光蓄積時間と同期してオンオフを繰り返すパルス波形を用いれば、無駄な発熱を無くすことができる。また、図１１（ｂ）に示すような前記の光蓄積時間に対して十分に速い周期のパルス波形を用いれば、レーザのスペックルによる画像ノイズを低減できる。さらに、図１１（ｃ）に示すような、図１１（ａ）のパルス波形のオン期間を図１１（ｂ）の速い周期のパルス波形とした（ａ）及び（ｂ）の混合型のパルス波形を用いれば、上記の各効果を同時に享受できる。
【００４４】
また、図１２に示すように、各光源４５，４７を交互に点灯して、発光量が交互に最大となるように制御すると、光源４５，４７を合わせた光源装置４１の最大駆動電力を抑えることができ、被検体である生体への負担も軽減できる。また、各光源４５，４７の照明光による撮像画像を個別に取得することもでき、その場合、取得した画像の画像間演算も可能となり、画像処理の自由度が向上する。
【００４５】
以上のように、被検体の被観察領域と内視鏡先端部３５との接近度情報の一つである観察倍率に応じて、接近度が高いほど照明光の可視短波長成分の割合を増加させ、照明光の色調を自動的に変更することで、常に観察に適した色調の照明光が得られ、内視鏡操作の利便性が高められる。なお、ここでいう観察倍率とは、被観察領域に対する観察倍率であって、上述したような対物レンズユニット３９により光学的に観察画像の画角を変化させる光学倍率に限らず、撮像素子２１（図１参照）により得られた観察画像に対して、電気的に画角を変化させるデジタルズーム倍率であってもよい。デジタルズーム倍率とする場合は、図１に示す入力部１７からの入力情報に基づいて、制御部６７が光源制御部４９に各光源４５，４７の出射光量比を指示する。
【００４６】
また、内視鏡１１の操作部２３に設けた操作スイッチ１１７の操作により、観察倍率に変化が伴う観察モードの切り替えが行われる場合には、この操作スイッチ１１７の操作に同期して、上記の光量比の変更を行う構成としてもよい。
【００４７】
＜被観察領域からの光量に応じて照明光の色調を変更する構成＞
次に、被観察領域と内視鏡先端部３５との接近度情報に応じて照明光の色調を変更する他の例であって、撮像素子２１から出力される撮像信号に対する被観察領域からの光量に応じて色調を変更する構成例を説明する。図１３に示すように、被観察領域と内視鏡先端部との距離が離れる場合は、撮像素子２１の受光量が減少し、距離が短い場合は受光量が増加する傾向がある。つまり、被観察領域と内視鏡先端部３５との距離は、撮像素子２１の受光量から推定できる。そこで、撮像素子２１からの出力信号から、反射光の光量を示す信号（以下、Ａ／Ｅ信号と称する）を生成して、このＡ／Ｅ信号に基づいて光源４５，４７の出射光量比を変更する。
【００４８】
つまり、制御部６７は、検出されたＡ／Ｅ信号の輝度が低いほど、被観察領域と内視鏡先端部との距離が短く、接近度が高いと判断して、光源制御部４９に紫色レーザ光源４７の出射光量の割合を増加させ、照明光の色調が青みを強くする。逆にＡ／Ｅ信号の輝度が高いほど、青色レーザ光源４５の出射光量の割合を増加させ、照明光の青みを抑えて白色になるように制御する。
【００４９】
この構成によれば、内視鏡観察時に常時連続的に得られる撮像素子２１からの出力信号を利用して、被検体の被観察領域と内視鏡先端部３５との接近度情報の一つである反射光の光量をＡ／Ｅ信号から求め、被観察領域と内視鏡先端部との距離を推定するので、高い応答性で照明光を常に最適な色調に変更できる。
【００５０】
＜被観察領域の部位に応じて照明光の色調を変更する構成＞
次に、被観察領域の部位に応じて照明光の色調を変更する構成例を説明する。図１４に本構成例による内視鏡装置の概略的なブロック構成図を示した。図１４に示すように、内視鏡装置２００は基本的に図１に示す構成と同様であり、制御装置１３を病院内のネットワーク１２１に接続している。また、このネットワーク１２１には、受付端末１２３、サーバ１２５、診療科端末１２７等が接続され、内視鏡装置２００との間で各種情報が共有されるようになっている。
【００５１】
本内視鏡装置２００の構成例においては、被検体となる患者の内視鏡による観察部位を検査オーダ情報から抽出し、この抽出された観察部位の情報に応じて、照明光の色調を変更する。照明光の色調を観察部位の診断に適した色調に合わせることで、病変部の発見や診断が容易となる。ここでは、病院内で患者が内視鏡検査を行うことを例に説明する。
【００５２】
電子カルテや検査オーダリングシステム等の病院内管理システムの環境下で、まず、患者が病院内の受付端末１２３から受付処理を済ませると、受付情報がサーバ１２５へ送信される。サーバ１２５では、受付された患者情報を、サーバ１２５が有する大容量ハードディスク等の記憶装置を参照して、図１５に示すように、登録された患者に対する患者ＩＤ、患者名、年齢等の患者情報と、検査予定がある場合は、その検査に対する検査部位、検査使用機器、担当医師等の検査情報を抽出する。
【００５３】
そして、サーバ１２５から患者情報と検査情報を含む検査オーダ情報が、内視鏡検査を行う特定の診療科の診療科端末１２７に送信されると、この特定の診療科において、上記患者の内視鏡検査が行われる。
【００５４】
このとき使用される内視鏡装置が上記の内視鏡装置２００であった場合、内視鏡装置２００の制御部６７は、所定のタイミングで検査オーダ情報の検査部位の情報を取得し、この検査部位に応じた照明光の色調に設定する。検査部位と照明光の色調との関係は、予め内視鏡装置２００側の記憶部６９に記憶され、制御部６７はこの記憶されたテーブル情報を参照して、各光源４５，４７が所定の光量比となるように光源制御部４９に指示する。
【００５５】
この構成によれば、検査前に予め観察部位が分かっている場合に、内視鏡装置の照明光の色調を、例えば生体臓器毎の観察部位に応じて最適に設定することができる。例えば、同じ上部消化管内視鏡による内視鏡検査でも、胃と食道とを比較すると、血管の多い胃では赤みが強い。このため、内視鏡による胃の観察時には、撮像画像は、赤色成分が最初に飽和し、緑色と青色の光量が不足した状態になりやすく、観察画像のＳ／Ｎが劣化する。その場合は、光源の青色や緑色の成分の比率を増加させることで、赤色、緑色、青色の３色が共にＳ／Ｎの良い画像を得ることができる。なお、光源の色調を変更した場合には、撮像画像の色調を画像処理により色バランスを補正することで、観察画像を表示する表示部１５における色味を一定に保持する。
【００５６】
なお、上記の病院内管理システムによる検査部位の設定の他にも、例えば、内視鏡の術者が内視鏡装置２００に対して検査部位の情報を入力することで、内視鏡装置２００が自動的に観察部位に最適な照明光の色調に変更する等、種々の設定方法が利用可能である。
【００５７】
＜内視鏡の機種に応じて照明光の色調を変更する構成＞
次に、内視鏡の機種に応じて照明光の色調を変更する構成例を説明する。図１６に本構成例による内視鏡装置の概略的なブロック構成図を示した。図１６に示すように、内視鏡装置３００は基本的に図１に示す構成と同様であり、内視鏡１１には、内視鏡１１の個体識別情報を記憶した本体側記憶部１３１が内蔵されている。また、制御装置１３は、サーバ１２５や記憶装置１３３の接続されたネットワーク１２１に接続されている。
【００５８】
本体側記憶部１３１は、ＩＣメモリやＩＣタグ等で構成され、ＩＣメモリではフラッシュメモリ等のＲＯＭ、あるいやＲＡＭ、ＩＣタグではＲＦＩＤ（Radio frequency identification）等が利用可能である。ＩＣタグとした場合は、コネクタ部２５Ｂにリーダ装置を配置して、ＩＣタグを読み取った信号を制御部６７に入力する構成とすればよい。
【００５９】
本内視鏡装置３００の構成例においては、内視鏡１１に内蔵された本体側記憶部１３１が、内視鏡１１の個体識別情報を記憶しており、内視鏡１１が制御装置１３にコネクタ部２５Ｂを介して接続された際に、制御部６７が内視鏡１１の本体側記憶部１３１から個体識別情報を読み取ることで、制御部６７は接続された内視鏡１１を認識する。
【００６０】
そして、制御部６７は、接続された内視鏡１１の個体識別情報に応じた照明光の色調に設定する。個体識別情報と照明光の色調との関係は、予め内視鏡装置３００側の記憶部６９に記憶され、制御部６７はこの記憶されたテーブル情報を参照して、各光源４５，４７が所定の光量比となるように光源制御部４９に指示する。
【００６１】
上記の個体識別情報としては、例えば、検査の適用部位毎に異なる内視鏡１１の機種名とすることができる。図１７に内視鏡の機種名を含む個体識別情報の登録テーブルの一例を示す。この登録テーブルには、内視鏡１１の機種名、製造番号、適用部位等の個体情報と、照明光の色調を変更するための光源の光量比の情報が含まれる。例えば、機種名「ＥＣ−１００」の内視鏡では、検査の適用部位が大腸であり、各光源４５，４７（図１６参照）の光量比をＲ１２に設定する。
【００６２】
この内視鏡装置３００によれば、制御装置１３に接続された内視鏡１１の個体識別情報に応じて、その内視鏡１１に最適な照明光の色調に変更できる。なお、登録テーブルには光量比に限らず、照明光の色調を指定するものであれば他のパラメータであってもよい。
【００６３】
また、内視鏡１１の個体識別情報としては、上記の適用部位に対応する情報以外にも、内視鏡１１の構成部材に対応した情報であってもよい。例えば、内視鏡１１に用いる蛍光体５７（図１参照）、光ファイバ５５Ａ，５５Ｂ、固体撮像素子２１、対物レンズユニット３９、等の光学系部材の種類や成分等に関する情報であってもよい。
【００６４】
図１８に内視鏡１に用いられる蛍光体の種類、固体差を含む固体識別情報の登録テーブルの一例を示す。この登録テーブルには、内視鏡１１の機種名、製造番号、蛍光体種、ロット番号等の個体情報と、照明光の色調を変更するための光源の光量比の情報が含まれる。例えば、「ＥＧ−１２０」の内視鏡では、蛍光体種が「Ｙ−５」、ロット番号が「５１４」であり、光量比がＲ２４として規定されている。ロット番号は、製造メーカの製造時情報から、蛍光体種「Ｙ−５」のより詳細な組成が特定できるので、蛍光体の組成によって微妙に変化する色調を、規定の色調に補正することができる。つまり、この特定された蛍光体に最適な光量比を正確に規定することが可能となる。
【００６５】
このように、内視鏡１１の個体識別情報に応じて照明光の色調を変更することで、使用する内視鏡１１に最適な照明光の色調を簡単に設定することができる。
【００６６】
以上説明した内視鏡装置１００，２００，３００は、２種類のレーザ光源４５，４７を合波・分波して、蛍光体５７に導き、照明光を発生させていたが、これに限らず、他の光源装置の構成にすることも勿論可能である。以下に、照明装置の他の構成例を例示する。
【００６７】
図１９は光源装置４１から内視鏡１１までの光路を１本の光ファイバ５５Ａで構成した内視鏡装置の概略的な構成図である。この構成においては、中心波長４４５ｎｍの青色レーザ光源４５からの青色レーザ光が光ファイバ５５Ａに導入されるまでの光路途中に、中心波長４０５ｎｍの紫色レーザ光源４７からの紫色レーザ光を合流させるダイクロイックプリズム１３５を配置している。
【００６８】
また、この場合の光ファイバ５５Ａの光出射側に配置される蛍光体１３７は、青色レーザ光源４５からの青色レーザ光の一部を吸収して緑色〜黄色に励起発光し、吸収されず透過した青色レーザ光と合わせて白色光を形成すると共に、紫色レーザ光源４７からの紫色レーザ光を殆ど吸収せずに透過させる性質を有する。そのため、蛍光体１３７には、青色レーザ光により高効率で励起発光して、青色レーザ光と合わせて白色光が形成される材料と、紫色レーザ光に対しては、蛍光体の発光光量が少なくなる材料とを用いる。
【００６９】
なお、一般的に蛍光体１３７による波長変換には、原理的に発生する発熱等の波長変換損失（ストークスロス）が存在する。そのため、発光波長の長い励起波長を選択した方が蛍光体の発光効率が高く、蛍光体の発熱を抑制する上で有利になる。本構成では、上記理由により、長波長側のレーザ光により白色光を生成して、発光効率を高めた構成にしている。
【００７０】
図１９に示す光源装置４１と蛍光体１３７による照明光の発光スペクトルの例を図２０に示した。図２０に示すように、紫色レーザ光によっても蛍光体１３７が励起されるが、この紫色レーザ光による蛍光体１３７の励起発光量は、青色レーザ光による励起発光量に比較して、数分の一（少なくとも１／３、望ましくは１／５、更に望ましくは１／１０以下）である。この程度に紫色レーザ光による蛍光体１３７の励起発光を抑えることで、白色光の色温度を適正に維持できる。
【００７１】
上記構成によれば、複数のレーザ光の光路をダイクロイックプリズム１３５により統合させるため、光源装置４１から内視鏡１１の蛍光体１３７までを１本の光ファイバ５５Ａで導光させ、しかも、照明光の出射口を蛍光体１３７の１箇所に収められるので、スペース効率を高めて内視鏡挿入部の細径化に寄与できる。
【００７２】
また、青色レーザ光源４５、紫色レーザ光源４７の他に、更に他のレーザ光源を備える場合であっても、同様にダイクロイックプリズム等の光カップリング手段を介して光路を統合すればよい。また、蛍光体１３７についても、他のレーザ光源の波長に励起しない、又は励起しにくい蛍光物質を用いればよい。
【００７３】
ここで、上記構成例における具体的な蛍光体１３７の材料としては、例えば、特開２００６−２１１５号公報に記載のような、添加元素として鉛（Ｐｂ）を含み４硫化２ガリウムカルシウム（ＣａＧａ2Ｓ4）を母体とする結晶性の固体蛍光材料、或いは、添加元素として鉛（Ｐｂ）とセリウム（Ｃｅ）を含み４硫化２ガリウムカルシウム（ＣａＧａ2Ｓ4）を母体とする結晶性の固体蛍光材料が使用できる。この蛍光体材料によれば、約４６０ｎｍ〜約６６０ｎｍのほぼ可視全域に至る蛍光を得ることができ、白色光照明時における演色性が向上する。
【００７４】
また、この他にも、緑色蛍光体であるＬｉＴｂＷ2Ｏ8（小田喜  勉、“白色ＬＥＤ用蛍光体について”、電子情報通信学会技術研究報告ED2005-28, CFM2005-20, SDM2005-28, pp.69-74(2005-05)等を参照)、ベータサイアロン（β−sialon：Eu)青色蛍光体（広崎  尚登、解  栄軍、佐久間  健、“サイアロン系信蛍光体とそれを用いた白色ＬＥＤの開発”、応用物理学会誌  第７４巻、第１１号、pp.1449-1452（2005）、或いは、山元  明  東京工科大パイオニクス学部、応用物理学会誌  第76巻  第３号、p.241（2007）を参照）、ＣａＡｌＳｉＮ3赤色蛍光体等を組み合わせて用いることができる。ベータサイアロンは、β型窒化ケイ素結晶にアルミニウムと酸とが固溶したＳｉ６−ＺＡｌ２Ｏ２Ｎ８−Ｚ（ｚは固溶量）の組成で示される結晶である。蛍光体１３７は、これらＬｉＴｂＷ２Ｏ８とベータサイアロン、ＣａＡｌＳｉＮ３を混在させたものとしてもよく、また、これらの蛍光体を層状に重ねた構成としてもよい。
【００７５】
図２１は多数のレーザ光源を用いた他の内視鏡装置の例を示す概略的な構成図である。図２１に示す構成によれば、例えば中心波長４４５ｎｍの青色レーザ光源４５からの青色レーザ光は、コネクタ部２５Ａを介して内視鏡１１内の光ファイバ５５Ｃに導入され、光ファイバ５５Ｃの光出射端に配置された蛍光体５７に照射される。そして、この青色レーザ光を励起光とする蛍光体５７からの励起発光光と、蛍光体５７を透過する青色レーザ光とによって白色光が生成される。
【００７６】
また、例えば中心波長４０５ｎｍの紫色レーザ光源４７、例えば中心波長５１５ｎｍの青緑色レーザ光源１４１、例えば中心波長６３０ｎｍの赤色レーザ光源１４３からの各レーザ光が、コネクタ部２５Ａを介して光ファイバ５５Ｄ，５５Ｅ，５５Ｆにそれぞれ導入され、光偏向・拡散部材１４５，１４７，１４９を通じて、それぞれ紫色、青緑色、赤色の照明光となる。
【００７７】
光偏向・拡散部材１４５，１４７，１４９は、入射されたレーザ光を透過させる材料であればよく、例えば透光性を有する樹脂材料やガラス等が用いられる。更には、光偏向・拡散部材１４５，１４７，１４９は、樹脂材料やガラスの表面等に、微小凹凸や屈折率の異なる粒子（フィラー等）を混在させた光拡散層を設けた構成や、半透明体の材料を用いた構成としてもよい。これにより、光偏向・拡散部材１４５，１４７，１４９から出射する透過光は、所定の照射領域内で光量が均一化された狭帯域波長の照明光となる。
【００７８】
このように、発光波長の異なる多数のレーザ光源を用い、各光源の光量比を調整して照明光を生成すれば、光源制御部４９の生成可能な色調範囲を拡大でき、観察に適した色調の調整範囲を拡げることができる。また、微妙な色調の調整を容易にしかも正確に行える。
【００７９】
なお、上記光ファイバ５５Ｃ，５５Ｄ，５５Ｅ，５５Ｆは、使用する波長に応じてそれぞれ最適なファイバを選定して用いることが好ましい。光ファイバのコアは、水酸基（ＯＨ−）濃度の高／低により伝送損失が変化する波長依存性を有し、赤外域の特定の波長では可視域の波長とは異なる吸収率となる。そのため、光源の波長が６５０ｎｍ以下の場合は高水酸基濃度のコアの光ファイバを用い、６５０ｎｍを超える場合は低水酸基濃度のコアの光ファイバを用いるようにする。
【００８０】
図２２は白色光源とレーザ光源を用いた他の内視鏡装置の例を示す概略的な構成図である。本構成例においては、白色光源１５１としてハロゲンランプ、キセノンランプ、或いは白色発光ダイオード等のブロードな波長帯の光を出射する光源を用い、光ファイバ束であるライトガイド１５３を通じて内視鏡１１の先端部から白色光を照射する。照明光の色調は、１つ又は複数種のレーザ光源１５５の出射光量に応じて変更する。レーザ光源１５５からの出射光は、コネクタ部２５を介して、光ファイバ１５７により内視鏡先端部まで伝送され、光ファイバ１５７の光出射端に配置された光偏向・拡散部材１５９から特定色の照明光として供される。また、光偏向・拡散部材１５９に代えて蛍光体を配置して所望の色の蛍光を照明光としてもよい。
【００８１】
上記構成によれば、簡単な構成で照明光の色調の変更が可能となる。
【００８２】
図２３は内視鏡１１の先端部に発光ダイオードを設けた内視鏡装置の例を示す概略的な構成図である。本構成例においては、内視鏡１１の先端部に発光ダイオードを配置する。発光ダイオードとしては、例えば、青色発光ダイオード１６１、緑色発光ダイオード１６３、赤色発光ダイオード１６５を用い、光源装置４１側の光源制御部４９に接続されたドライバ１６７により、発光量をそれぞれ個別に制御する。
【００８３】
この構成によれば、光の三原色の発光素子を用いることで白色を含む任意の色調の照明光が得られる。また、白色光の光量を稼ぐために白色光源１６９を別途に設けて、内視鏡１１に白色光を供給する構成としてもよい。この場合の白色光源１６９としては、ハロゲンランプ、キセノンランプ、白色発光ダイオード、或いは、前述のレーザ光源と蛍光体との組合せによる光源が利用可能である。
【００８４】
上記の各内視鏡装置の構成においては、照明光の色調を光源制御部４９によって各光源の出射光量の調整により制御しているが、この他、各光源の出射光量を変更することなく、色調を変更することもできる。例えば、各光源を個別に点灯させ、それぞれの点灯タイミングにおける撮像素子２１の露光時間を変更することで、擬似的に照明光の色調を変更する。即ち、各光源と撮像素子２１とを同期制御して、例えば青色レーザ光源等の第１の光源のみ点灯させて撮像する撮像素子２１の露光時間と、例えば白色光源などの第２の光源のみ点灯させて撮像する露光時間との、各露光時間をそれぞれ個別に増減調整し、得られる各撮像画像を合成して観察画像データとする。この観察画像データは、各光源下での露光時間がその光源の光量に相当するため、照明光の色調が擬似的に変化したものとみなせる。つまり、光源の出射光量比により照明光の色調を直接的に制御することに代えて、光源と撮像素子とを同期制御する撮像制御手段により、撮像素子２１の露光時間を各照明光下で個別に調整することでも、間接的に照明光の色調を変更することができる。
【００８５】
このように、本発明は上記の実施形態に限定されるものではなく、明細書の記載、並びに周知の技術に基づいて、当業者が変更、応用することも本発明の予定するところであり、保護を求める範囲に含まれる。
【００８６】
以上の通り、本明細書には次の事項が開示されている。
（１）  照明光を内視鏡先端部から出射する照明手段と、前記照明光の照射された被検体の被観察領域を撮像する撮像素子を有する撮像手段と、を備えた内視鏡装置であって、
前記照明手段が発光波長の異なる複数種の光源を有し、
前記複数種の光源の各出射光量の比率を変更して前記照明光の色調を変更する色調制御手段を備えた内視鏡装置。
この内視鏡装置によれば、観察対象に応じて、又は拡大観察等の種々の診断場面に応じて、照明光の色調を任意に変更することができ、最適な色調の照明光で観察することができる。
【００８７】
（２）  （１）の内視鏡装置であって、
前記色調制御手段が、前記照明光の色調を連続変化可能に構成された内視鏡装置。
この内視鏡装置によれば、微妙な色調の調整が可能となり、目的とする照明光の色調が正確に得られる。
【００８８】
（３）  （１）又は（２）の内視鏡装置であって、
前記複数の光源の少なくともいずれかが半導体発光素子を発光源とする光源である内視鏡装置。
この内視鏡装置によれば、高い分解能で色調が制御でき、色調の経時変化が少なく、しかも高い応答性で光量制御できる。また、発光効率が高いために省電力化が図られる。
【００８９】
（４）  （１）〜（３）のいずれかの内視鏡装置であって、
前記複数の光源の少なくともいずれかが白色光源である内視鏡装置。
この内視鏡装置によれば、白色光源からの白色照明光に他の特定色の光源光が配分されることで、十分な光量を確保した上で色調の変更を容易に行うことができる。
【００９０】
（５）  （４）の内視鏡装置であって、
前記白色光源が、半導体発光素子を発光源とする励起光源と、該励起光源からの出射光により励起発光する蛍光体とを含む内視鏡装置。
この内視鏡装置によれば、特定の狭い波長帯の励起光源からの出射光と、この出射光により蛍光体を励起発光させた励起発光光とによって、広い波長帯の照明光が得られる。
【００９１】
（６）  （１）〜（５）のいずれかの内視鏡装置であって、
前記色調制御手段が、前記被検体の被観察領域と前記内視鏡先端部との接近度情報に基づいて前記色調を制御する内視鏡装置。
この内視鏡装置によれば、被観察領域と内視鏡先端部との距離を表す接近度情報に応じて色調を制御することで、観察対象や診断場面毎に照明光を実質的に最適にできる。
【００９２】
（７）  （６）の内視鏡装置であって、
前記色調制御手段が、前記接近度情報の接近度が高いほど、前記撮像画像に含まれる可視短波長成分の割合を増加させる内視鏡装置。
この内視鏡装置によれば、接近度が高いほど、つまり、被観察領域と内視鏡先端部との距離が短いほど、可視短波長成分の割合を増加させることで、例えば、表層血管を観察したい場合に血管情報を画像強調することができる。
【００９３】
（８）  （６）又は（７）の内視鏡装置であって、
前記接近度情報が、前記被観察領域に対する観察倍率を表す倍率情報である内視鏡装置。
この内視鏡装置によれば、被観察領域と内視鏡先端部との接近度の高低に連動する観察倍率の情報を用いることで、接近度に応じた色調に変更でき、実質的に観察対象や診断場面毎に最適な観察が行える。
【００９４】
（９）  （８）の内視鏡装置であって、
前記倍率情報が、前記撮像手段により得られる観察画像に対し、光学的に前記観察画像の画角を変化させる撮像光学系の光学倍率の情報である内視鏡装置。
この内視鏡装置によれば、内視鏡の術者等による光学倍率の変更操作に同期して色調を変更するため、色調変更をリアルタイムで迅速に行うことができる。
【００９５】
（１０）  （８）の内視鏡装置であって、
前記倍率情報が、前記撮像手段により得られる観察画像に対し、電気的に画角を変化させるデジタルズーム倍率の情報である内視鏡装置。
この内視鏡装置によれば、内視鏡の術者等によるデジタルズーム倍率の変更操作に同期して色調を変更するため、色調変更をリアルタイムで迅速に行うことができる。
【００９６】
（１１）  （６）又は（７）の内視鏡装置であって、
前記接近度情報が、前記撮像手段により得られる撮像画像の光量情報である内視鏡装置。
この内視鏡装置によれば、内視鏡観察時に常時連続的に得られる撮像素子から出力される光量情報を利用して色調を変更するので、高い応答性で常に最適な色調に合わせることができる。
【００９７】
（１２）  （１１）の内視鏡装置であって、
前記色調制御手段が、前記光量情報の光量値が低いほど前記接近度が高いと判断する内視鏡装置。
この内視鏡装置によれば、被観察領域と内視鏡先端部との距離が離れるほど、撮像素子の受光量が減少することを利用して、接近度を推定することができる。
【００９８】
（１３）  （１）〜（５）のいずれかの内視鏡装置であって、
前記色調制御手段が、前記被検体の観察部位の情報に基づいて前記色調を制御する内視鏡装置。
この内視鏡装置によれば、観察部位の診断に適した色調に合わせることで、病変部の発見や診断が容易となる。
【００９９】
（１４）  （１３）の内視鏡装置であって、
前記観察部位の情報が、前記被検体の生体臓器毎に規定された情報である内視鏡装置。
この内視鏡装置によれば、生体臓器毎に診断に最適な色調に合わせることができる。
【０１００】
（１５）  （１）〜（５）のいずれかの内視鏡装置であって、
前記内視鏡先端部を含む内視鏡本体と、該内視鏡本体が接続される内視鏡制御部と、を備え、
前記内視鏡本体に該内視鏡本体の個体識別情報を記憶する本体側記憶部を有し、
前記色調制御手段が、前記本体記憶部に記憶された個体識別情報に基づいて、前記色調を制御する内視鏡装置。
この内視鏡装置によれば、内視鏡本体の個体識別情報に応じて最適な色調にできる。
【０１０１】
（１６）  （１５）の内視鏡装置であって、
前記内視鏡本体が対応可能な被検体の適用部位の情報を有する機種情報が前記個体識別情報に含まれ、
前記色調制御手段が前記機種情報に応じて前記色調を制御する内視鏡装置。
この内視鏡装置によれば、適用部位に応じた色調で観察が行える。
【０１０２】
（１７）  （１６）の内視鏡装置であって、
少なくともいずれかの前記光源からの光を励起光として励起発光する蛍光体が前記内視鏡本体に配置され、
前記蛍光体の組成を表す個体情報が前記個体識別情報に含まれ、
前記色調制御手段が前記蛍光体の個体情報に応じて前記色調を制御する内視鏡装置。
この内視鏡装置によれば、蛍光体の組成によって変化する色調を、所望の色調に正確に補正することができる。
【符号の説明】
【０１０３】
１１  内視鏡
１３  制御装置
１５  表示部
２１  撮像素子
２３  操作部
３５  先端部
３７Ａ，３７Ｂ  照射口
３９  対物レンズユニット
４１  光源装置
４３  プロセッサ
４５  青色レーザ光源
４７  紫色レーザ光源
４９  光源制御部（色調制御手段）
５５Ａ，５５Ｂ  光ファイバ
５７  蛍光体
６１  ズーム制御部
６７  制御部
６９  記憶部
１００，２００，３００  内視鏡装置
１１１  変倍駆動機構
１１３  フォーカス駆動機構
１１５  ズーム操作部
１１７  操作スイッチ
１２１  ネットワーク
１３１  本体側記憶部
１３３  記憶装置
１４１  青緑色レーザ光源
１４３  赤色レーザ光源
１４５，１４７，１４９  光偏向・拡散部材
１５１  白色光源
１５５  レーザ光源
１５９  光偏向・拡散部材
１６１  青色発光ダイオード
１６３  緑色発光ダイオード
１６５  赤色発光ダイオード
【図１】
0005879422.tif 000002
【図２】
0005879422.tif 000003
【図３】
0005879422.tif 000004
【図４】
0005879422.tif 000005
【図５】
0005879422.tif 000006
【図６】
0005879422.tif 000007
【図７】
0005879422.tif 000008
【図８】
0005879422.tif 000009
【図９】
0005879422.tif 000010
【図１０】
0005879422.tif 000011
【図１１】
0005879422.tif 000012
【図１２】
0005879422.tif 000013
【図１３】
0005879422.tif 000014
【図１４】
0005879422.tif 000015
【図１５】
0005879422.tif 000016
【図１６】
0005879422.tif 000017
【図１７】
0005879422.tif 000018
【図１８】
0005879422.tif 000019
【図１９】
0005879422.tif 000020
【図２０】
0005879422.tif 000021
【図２１】
0005879422.tif 000022
【図２２】
0005879422.tif 000023
【図２３】
0005879422.tif 000024